(57)【要約】【課題】  クリックばねの形状を複雑にすることなく良好なクリック感触が得られると共に、製造が容易なスイッチ装置を提供する。【解決手段】  固定接点２が設けられた可撓性のフィルムからなるベース基板１と、固定接点２の一部を露出させると共に、ベース基板１の表裏面に形成された配線パターン３の上面側を被覆する絶縁性の被覆部材４と、固定接点２と接離可能に対向させて配置した反転可能な膨出部からなる可動接点５ａを有するクリックばね５と、クリックばね５の膨出部の上面側を覆うようにベース基板１の上面側に貼着された可撓性のフィルムからなるカバーシート６とを備え、ベース基板１の固定接点２が設けられた裏側の位置に、被覆部材４で被覆されない非被覆部４ａを設け、クリックばね５が押圧されて膨出部が反転する際に、可動接点５ａが固定接点２と当接して、可動接点５ａが被覆部材４の非被覆部４ａ内へ移動可能とした。【選択図】        図１
2007066840.tif 000002
【特許請求の範囲】
【請求項１】
固定接点が設けられた可撓性のフィルムからなるベース基板と、前記固定接点の一部を露出させると共に、このベース基板の表裏面に形成された配線パターンの上面側を被覆する絶縁性の被覆部材と、前記固定接点と接離可能に対向させて配置した反転可能な膨出部からなる可動接点を有するクリックばねと、このクリックばねの前記膨出部の上面側を覆うように前記ベース基板の上面側に貼着された可撓性のフィルムからなるカバーシートとを備え、前記ベース基板の前記固定接点が設けられた裏側の位置に、前記被覆部材で被覆されない非被覆部を設け、前記クリックばねが押圧されて前記膨出部が反転する際に、前記可動接点が前記固定接点と当接して、該可動接点が前記被覆部材の前記非被覆部内へ移動可能としたことを特徴とするスイッチ装置。
【請求項２】
前記被覆部材は、前記非被覆部の形状を打ち抜き形成した絶縁樹脂フィルムからなり、該絶縁樹脂フィルムを前記ベース基板に貼り合わせて形成したことを特徴とする請求項１記載のスイッチ装置。
【請求項３】
前記被覆部材の前記非被覆部内に位置する前記固定接点が設けられた近傍の前記ベース基板を曲げ下げて、前記固定接点の一部を前記ベース基板と共に下方へ変位させ、該ベース基板を前記被覆部材の前記非被覆部に面した固定部材に固定させたことを特徴とする請求項１、又は２記載のスイッチ装置。
【請求項４】
前記固定部材は、スイッチ装置が実装される電子機器の筺体からなることを特徴とする請求項３記載のスイッチ装置。
【請求項５】
前記固定接点は、前記クリックばねの周縁が常時接触する周辺接点と、前記クリックばねの反転時に前記可動接点が接触する中央接点とからなり、前記クリックばねの押圧操作時に、前記中央接点が前記周辺接点より低い位置に変位するように、前記被覆部材の前記非被覆部を前記中央接点の裏側にのみ形成したことを特徴とする請求項１、又は２記載のスイッチ装置。
【請求項６】
前記ベース基板上に、複数組の前記固定接点と該固定接点に対応する複数個の前記クリックばねとを配置したことを特徴とする請求項１乃至５の何れかに記載のスイッチ装置。
【発明の詳細な説明】
【技術分野】
【０００１】
本発明は、各種電子機器のキー操作用スイッチとして使用されるフィルム状のシートキーを用いたスイッチ装置の構造に関する。
【背景技術】
【０００２】
従来のキー操作用スイッチの構造としては、複数のキー操作部を有する絶縁シートと、この絶縁シートの裏面側に配置された薄板の金属板からなる複数の可動接点と、複数の可動接点にそれぞれ対応する位置に固定接点を有するベース（回路）基板とからなる構成のものが知られている（例えば、特許文献１参照）。
【０００３】
この従来のスイッチ装置の構造を図６〜図８に示す。図６は従来のスイッチ装置の可動接点と固定接点の関係を示す断面図、図７は可動接点の要部を示す説明図、図８はシート状のスイッチ装置を示す要部断面図である。
図において、可動接点５１は、薄板の金属板で円盤状に形成されている。この可動接点５１は、外周部から所定角度で立ち上がるスカート部５１ａと、このスカート部５１ａと連続する反転可能なドーム部５１ｂとから形成されており、このスカート部５１ａとドーム部５１ｂとは複数の折り曲げ部５１ｃ、５１ｄを介して多段状に接続されている。
【０００４】
回路基板５２は絶縁性の平板状の積層板からなり、表面に中央固定接点５２ａ、及び周辺固定接点５２ｂが形成されている。中央固定接点５２ａと周辺固定接点５２ｂに対向するように可動接点５１が載置されており、スカート部５１ａの外周端部５１ｅが、常時、周辺固定接点５２ｂと接触しており、ドーム部５１ｂの頂部の内面側が、反転した時に中央固定接点５２ａと接離する接点部５１ｆとなっている。
【０００５】
この場合、前記可動接点５１のスカート部５１ａの立ち上がり角度θｄは、従来のものよりもさらに立てて形成してある。すなわち、可動接点５１のドーム部５１ｂが反転した時の接点部５１ｆと中央固定接点５２ａとの距離（移動量）Ｌ４が、大きくとれることから、可動接点５１が反転する時の反転後の移動量が大きく設定できるため、クリック感触に良好な感触が得られるものとなっている。
【０００６】
また、可動接点５１のスカート部５１ａの立ち上がり角度θｄを立てて形成してあるが、このスカート部５１ａと接続されるドーム部５１ｂとの接続部は２箇所の折り曲げ部５１ｃ、５１ｄを介して接続されており、この折り曲げ部の一方の折り曲げ部５１ｄとドーム部５１ｂとの接続部とのなす角度を全体的にねかす（小さくする）ことができることから、ドーム部５１ｂが反転する時のフィーリング曲線を従来のフィーリング曲線に近づけることが可能となるため、フィーリング曲線の反力が最小となるポイントがマイナスとなることがなく、可動接点５１は反転した後確実に自己復帰するものとなる。
【０００７】
図８は、可動接点５１を使用したシート状のスイッチ装置の構造を示している。回路基板５３はフェノール樹脂などの積層板で形成されており、この回路基板５３の表面には複数の中央固定接点５４ａと周辺固定接点５４ｂが配設されている。
絶縁シート５５はフィルム状の絶縁材から形成されており、下面側には一面に粘着層が形成され、この粘着層に可動接点５１のドーム部５１ｂが貼着されて絶縁シート５５に可動接点５１が一体化されている。
【０００８】
スペーサ５６は同じくフィルム状の絶縁材から形成され、下面側には同じく粘着層が形成され、中央には可動接点５１を収納する複数の収納孔が設けられている。スペーサ５６が絶縁シート５５の下面側に貼着されて、絶縁シート５５に貼着された可動接点５１は、その裏面を保護シートによって覆われており、この保護シートはスペーサ５６の下面側の粘着層との対向面が剥離コートされたフィルムからなり、これらが積層されて接点板付きシートが形成されている。
【０００９】
そして、この接点板付きシートから、保護シートを剥離して可動接点５１が、中央固定接点５４ａ及び周辺固定接点５４ｂに対向するように絶縁シート５５とスペーサ５６が回路基板５３上に貼着されることでシート状のスイッチ装置が形成されるものとなっている。この時、可動接点５１は、ドーム部５１ｂが中央固定接点５４ａと離間した状態で対峙され、スカート部５１ａの外周端部５１ｅが、周辺固定接点５４ｂと常時接触された状態となっている。
【００１０】
【特許文献１】特開２００２−２１６５８０号公報
【発明の開示】
【発明が解決しようとする課題】
【００１１】
しかしながら、上述した従来のスイッチ装置においては、良好なクリック感触を得るために可動接点となるクリックばねの形状が複雑となり、所望のクリック感触に合わせたクリックばねの形状設定が難しく、生産性を阻害してしまうという問題があった。
【００１２】
従って、本発明は上記した問題点を解決し、クリックばねの形状を複雑にすることなく良好なクリック感触が得られると共に、製造が容易なスイッチ装置を提供することを目的とする。
【課題を解決するための手段】
【００１３】
上記課題を解決するために本発明では第１の解決手段として、固定接点が設けられた可撓性のフィルムからなるベース基板と、前記固定接点の一部を露出させると共に、このベース基板の表裏面に形成された配線パターンの上面側を被覆する絶縁性の被覆部材と、前記固定接点と接離可能に対向させて配置した反転可能な膨出部からなる可動接点を有するクリックばねと、このクリックばねの前記膨出部の上面側を覆うように前記ベース基板の上面側に貼着された可撓性のフィルムからなるカバーシートとを備え、前記ベース基板の前記固定接点が設けられた裏側の位置に、前記被覆部材で被覆されない非被覆部を設け、前記クリックばねが押圧されて前記膨出部が反転する際に、前記可動接点が前記固定接点と当接して、該可動接点が前記被覆部材の前記非被覆部内へ移動可能とした構成とした。
【００１４】
また、第２の解決手段として、前記被覆部材は、前記非被覆部の形状を打ち抜き形成した絶縁樹脂フィルムからなり、該絶縁樹脂フィルムを前記ベース基板に貼り合わせて形成した構成とした。
また、第３の解決手段として、前記被覆部材の前記非被覆部内に位置する前記固定接点が設けられた近傍の前記ベース基板を曲げ下げて、前記固定接点の一部を前記ベース基板と共に下方へ変位させ、該ベース基板を前記被覆部材の前記非被覆部に面した固定部材に固定させた構成とした。
また、第４の解決手段として、前記固定部材は、スイッチ装置が実装される電子機器の筺体からなる構成とした。
【００１５】
また、第５の解決手段として、前記固定接点は、前記クリックばねの周縁が常時接触する周辺接点と、前記クリックばねの反転時に前記可動接点が接触する中央接点とからなり、前記クリックばねの押圧操作時に、前記中央接点が前記周辺接点より低い位置に変位するように、前記被覆部材の前記非被覆部を前記中央接点の裏側にのみ形成した構成とした。
また、第６の解決手段として、前記ベース基板上に、複数組の前記固定接点と該固定接点に対応する複数個の前記クリックばねとを配置した構成とした。
【発明の効果】
【００１６】
上述したように、本発明のスイッチ装置は、固定接点が設けられた可撓性のフィルムからなるベース基板と、固定接点の一部を露出させると共に、ベース基板の表裏面に形成された配線パターンの上面側を被覆する絶縁性の被覆部材と、固定接点と接離可能に対向させて配置した反転可能な膨出部からなる可動接点を有するクリックばねと、クリックばねの膨出部の上面側を覆うようにベース基板の上面側に貼着された可撓性のフィルムからなるカバーシートとを備え、ベース基板の固定接点が設けられた裏側の位置に、被覆部材で被覆されない非被覆部を設け、クリックばねが押圧されて膨出部が反転する際に、可動接点が固定接点と当接して、可動接点が被覆部材の非被覆部内へ移動可能としたことから、固定接点が設けられたベース基板の裏側に、被覆部材で覆われない領域を設けて、クリックばねが反転する際の可動接点が移動可能な段差部を形成したので、クリックばねの反転ストローク量を大きくでき、反転時の良好なクリック感触が得られと共に、クリックばねの形状が簡易となり製造が容易なスイッチ装置を提供できる。
【００１７】
また、被覆部材は、非被覆部の形状を打ち抜き形成した絶縁樹脂フィルムからなり、絶縁樹脂フィルムをベース基板に貼り合わせて形成したことから、ベース基板の被覆部分と非被覆部とを容易に形成でき、絶縁樹脂フィルムの厚さを適宜変更することにより、クリックばねが反転する際の可動接点の移動段差の調整を容易に行え、所望のクリック感触を容易に得ることができる。
また、被覆部材の非被覆部内に位置する固定接点が設けられた近傍のベース基板を曲げ下げて、固定接点の一部をベース基板と共に下方へ変位させ、ベース基板を被覆部材の非被覆部に面した固定部材に固定させたことから、クリックばねが反転する際の可動接点の移動段差の設定を確実に行うことができる。
また、固定部材は、スイッチ装置が実装される電子機器の筺体からなることから、スイッチ装置が実装される電子機器の筺体を利用して固定部材を形成できるので構造が簡単で安価に提供できる。
【００１８】
また、固定接点は、クリックばねの周縁が常時接触する周辺接点と、クリックばねの反転時に可動接点が接触する中央接点とからなり、クリックばねの押圧操作時に、中央接点が周辺接点より低い位置に変位するように、被覆部材の非被覆部を中央接点の裏側にのみ形成したことから、クリックばねの周縁が周辺接点と常時接触した状態で、可動接点が中央接点と共に周辺接点より低い位置に変位するので、接点同士の接触が確実となり、安定したスイッチ切り換えを行うことができる。
また、ベース基板上に、複数組の固定接点と固定接点に対応する複数個のクリックばねとを配置したことから、クリック感触の良好な、複数のスイッチをシート状に一体化した複合スイッチが容易に得られる。
【発明を実施するための最良の形態】
【００１９】
以下、本発明の実施の形態を図１乃至図５に示す。図１は本発明のスイッチ装置を示す断面図、図２は本発明のスイッチ装置を固定部材に固定させた状態を示す断面図、図３は本発明のスイッチ装置を固定部材に固定させた状態で段差調整用印刷を施した状態を示す断面図、図４は本発明のスイッチ装置のベース基板上に複数組の固定接点を配置した状態を示す平面図、図５は図４の底面図である。
【００２０】
図１において、本発明のスイッチ装置は、固定接点２が設けられた可撓性のフィルムからなるベース基板１と、固定接点２の一部を露出させると共に、このベース基板１の表裏面に形成された配線パターン３の上面側を被覆する絶縁性の被覆部材４と、固定接点２と接離可能に対向させて配置した反転可能な膨出部からなる可動接点５ａを有するクリックばね５と、このクリックばね５の膨出部の上面側を覆うようにベース基板１の上面側に貼着された可撓性のフィルムからなるカバーシート６とから主に構成されている。
【００２１】
ベース基板１は、例えばＰＥＴ（ポリエチレンテレフタレート）等からなる可撓性を有するフィルムでシート状に形成されている。このベース基板１の表面には、銀やカーボン等の導電性の材料からなる固定接点２が印刷等の方法で形成されている。この固定接点２は、中央に円形に設けられた中央接点２ａと、この中央接点２ａの周囲に一定の隙間を有して円弧状ないし円環状に設けられた周辺接点２ｂとから形成されており、この固定接点２がベース基板１に複数個配設されている。また、それぞれの周辺接点２ｂ間には、同じく銀やカーボン等の導電性の材料からなり周辺接点２ｂ間を電気的に接続する接続パターン３ｂ（図４参照）が形成されている。
【００２２】
また、本実施例ではベース基板１の裏面にも、銀やカーボン等の導電性の材料からなる導電層が設けられており、表面に設けられた中央接点２ａに対向した裏面には、導電材が充填されたスルーホール１ａを介して中央接点２ａと電気的に導通された中央導電層３ｃが設けられ、周辺接点２ｂに対向した裏面には、中央導電層３ｃの周囲に一定の隙間を有して円弧状に設けられた周辺導電層３ｄが設けられている。また、それぞれの中央導電層３ｃ間には、同じく銀やカーボン等の導電性の材料からなり中央導電層３ｃ間を電気的に接続する接続パターン３ａ（図５参照）が形成されており、スルーホール１ａを介してそれぞれの中央接点２ａ間を電気的に接続している。
【００２３】
ベース基板１の表裏面には、接続パターン３ａ、３ｂ及び中央導電層３ｃ、周辺導電層３ｄが設けられており、これらでベース基板１の配線パターン３を構成している（図４、図５参照）。また、ベース基板１の表裏面には、エポキシ樹脂等の絶縁樹脂フィルムからなる絶縁性の被覆部材４が貼り合わされて形成されており、この被覆部材４で配線パターン３の上面側を被覆している。
【００２４】
この、被覆部材４は、ベース基板１の表面側には、固定接点２の中央接点２ａ全部と周辺接点２ｂの一部を露出させた状態で積層して形成されており、また、ベース基板１の裏面側には、中央接点２ａが設けられた裏側の位置に、被覆部材４で被覆されない非被覆部４ａが形成された状態で積層して形成されている。また、この非被覆部４ａは、シート状の絶縁樹脂フィルムからなる被覆部材４を、プレスなどの方法で打ち抜くことにより形成されており、この絶縁樹脂フィルムをベース基板１に貼り合わせることにより一体的に積層されて形成されている。
【００２５】
また、ベース基板１の表面側で固定接点２の上面には、クリックばね５が配設されており、このクリックばね５の上面側を覆うようにベース基板１の上面側に貼着された、ＰＥＴ（ポリエチレンテレフタレート）等からなる可撓性のフィルムでシート状に形成された、カバーシート６によって保持されている。このクリックばね５は、ばね性を有する導電性の薄板金属板からなり、中央に反転可能なドーム状の膨出部を有する円状に形成されており、膨出部の下面側がベース基板１に設けられた固定接点２と接離する可動接点５ａとなっている。
【００２６】
クリックばね５は、円状の周縁５ｂが固定接点２の周辺接点２ｂ上に常時当接して接触しており、膨出部の下面側の可動接点５ａが固定接点２の中央接点２ａと対向した状態で載置され、クリックばね５が反転した際に可動接点５ａと中央接点２ａが接触することでスイッチがオン状態となる。
尚、クリックばね５及びカバーシート６は、カバーシート６の下面に塗布された粘着材（図示せず）によりベース基板１上に貼着されて一体化されている。
【００２７】
尚、固定接点２は、クリックばね５の周縁５ｂが常時接触する周辺接点２ｂと、クリックばね５の反転時に可動接点５ａが接触する中央接点２ａとから形成されており、クリックばね５の押圧操作時には、中央接点２ａが周辺接点２ｂより低い位置に変位するように、被覆部材４の非被覆部４ａを中央接点２ａの裏側にのみ形成するようにしている。また、ベース基板１の中央接点２ａが設けられた裏側の位置に、被覆部材４で被覆されない非被覆部４ａを設け、クリックばね５が押圧されて膨出部が反転する際に、可動接点５ａが中央接点２ａと当接して、可動接点５ａが被覆部材４の非被覆部４ａ内へ移動可能となるように形成されている。
【００２８】
この場合、クリックばね５の押圧操時には、可動接点５ａの非被覆部４ａ内への移動に伴って、ベース基板１が自らの可撓性で下方へ撓むものとなり、可動接点５ａと共に中央接点２ａが周辺接点２ｂより低い位置に変位するものとなっている。したがって、クリックばね５が反転する際の可動接点５ａの移動ストロークを大きく（長く）とることができるものとなっている。そして、可動接点５ａの移動ストロークを大きく（長く）とることにより、クリックばね５の反転時のクリック感触が良好となる。
【００２９】
また、本実施例では、被覆部材４を、非被覆部４ａの形状を打ち抜き形成した絶縁樹脂フィルムで形成し、この絶縁樹脂フィルムをベース基板１に貼り合わせて形成するようにしたので、ベース基板１の被覆部分４と非被覆部４ａとを容易に形成でき、絶縁樹脂フィルムの厚さを適宜変更することにより、クリックばね５が反転する際の可動接点５ａの移動段差（移動ストローク）の調整を容易に行え、所望のクリック感触を容易に得ることができるものとなっている。
【００３０】
本実施例では、図２に示すように、被覆部材４の非被覆部４ａ内に位置する固定接点２の中央接点２ａが設けられた近傍の前記ベース基板１を曲げ下げることにより、固定接点２の中央接点２ａをベース基板１と共に下方へ変位させ、このベース基板１の中央接点２ａに対向する裏面側に形成された中央導電層３ｃを、被覆部材４の非被覆部４ａに面した固定部材７に粘着剤８により固着させるものとなっている。この場合、ベース基板１の裏面側が、被覆部材４を介して同時に固定部材７に固着されるものとなっている。
【００３１】
尚、この場合、固定部材７は、本発明のスイッチ装置が実装される電子機器の筺体等から構成されるものとなっており、このように、スイッチ装置が実装される電子機器の筺体を利用して、ベース基板１の中央接点２ａの裏面側を被覆部材４の非被覆部４ａを介して固定部材７に固着できると共に、電子機器の筺体に固定部材７を形成できるので、スイッチ装置を構造が簡単で安価に提供できるものとなっている。
【００３２】
また、被覆部材４の非被覆部４ａ内に位置する固定接点２の中央接点２ａが設けられた近傍のベース基板１を曲げ下げて、固定接点２の中央接点２ａをベース基板１と共に下方へ変位させ、このベース基板１を被覆部材４の非被覆部４ａに面した固定部材７に固定させたことから、クリックばね５が反転する際の可動接点５ａの移動段差（移動ストローク）の設定を確実に行うことができるものとなっている。
【００３３】
このように、固定接点２は、クリックばね５の周縁５ｂが常時接触する周辺接点２ｂと、クリックばね５の反転時に可動接点５ａが接触する中央接点５ａとからなり、クリックばね５の押圧操作時に、中央接点２ａが周辺接点２ｂより低い位置に変位するように、被覆部材４の非被覆部４ａを中央接点２ａの裏側にのみ形成するようにしてあり、クリックばね５の周縁５ｂが周辺接点２ｂと常時接触した状態で、可動接点５ａが中央接点２ａと共に周辺接点２ｂより低い位置に変位することになるので、接点同士の接触が確実となり、安定したスイッチ切り換えを行うことができるものとなっている。
【００３４】
図３は、本発明のベース基板１を、固定部材７に固定させる場合に、印刷層９からなる段差調整用印刷を施した状態を示している。ベース基板１に印刷層９を形成する場合には、ベース基板１に形成された固定接点２の中央接点２ａと対向する裏面の中央導電層３ｃの上に、エポキシ樹脂などの絶縁性の樹脂材をシルク印刷等の方法により印刷して形成すればよい。
【００３５】
この場合には、印刷層９の層の厚さを印刷時の設定により適宜調整することが可能となっており、被覆部材４の非被覆部４ａ内に位置する固定接点２の中央接点２ａが設けられた近傍のベース基板１を曲げ下げて、固定接点２の中央接点２ａをベース基板１と共に下方へ変位させ、このベース基板１を被覆部材４の非被覆部４ａに面した固定部材７に固定させる時に、クリックばね５が反転する際の可動接点５ａの移動段差の設定を適宜調整することで、簡単に所望のクリック感触が得られるものとなっている。
【００３６】
図４及び図５は、本発明のベース基板１上に複数組の固定接点２を配置した状態を示している。
この場合、図４に示すように、ベース基板１の表面には、中央接点２ａと周辺接点２ｂからなる固定接点２がマトリクス状に複数組配設されている。また、環状の周辺接点２ｂの周縁部には直線状の接続パターン３ｂが設けられており、各周辺接点２ｂ、２ｂ同士が接続パターン３ｂにより電気的に接続されている。また、円形状の各中央接点２ａ、２ａは中央のスルーホール１ａにより裏面側の中央導電層３ｃと接続されている。
【００３７】
尚、図示はしないが、このベース基板１の表面は、固定接点２の中央接点２ａ全部と周辺接点２ｂの一部を露出した状態で、シート状の絶縁樹脂フィルムからなる被覆部材４により略全面的に被覆されている。また、ベース基板１の表面側で固定接点２の上面には、クリックばね５が配設されるものとなり、このクリックばね５の上面側を覆うようにベース基板１の上面側にシート状に形成されたカバーシート６が積層されるものとなっている。
【００３８】
また、図５に示すように、ベース基板１の裏面には、中央接点２ａの裏側に対向する位置に中央導電層３ｃが形成されている。この中央導電層３ｃには直線状の接続パターン３ａが設けられており、各中央接点２ａ、２ａ同士が中央導電層３ｃ及び接続パターン３ａを介して電気的に接続されている。また、中央導電層３ｃの周囲には、ベース基板１の表面の周辺接点２ｂに対向する位置に円弧状の周辺導電層３ｄが形成されている。
【００３９】
尚、図示はしないが、このベース基板１の裏面は、中央導電層３ｃ全部とその周囲の一部を露出した状態で、同じくシート状の絶縁樹脂フィルムからなる被覆部材４により略全面的に被覆されており、該露出部が被覆部材４に打ち抜き形成された非被覆部４ａから露出した状態となっている。
【００４０】
このように、ベース基板１の表面に、複数組の固定接点２を配設して、ベース基板１上にこれらの固定接点２に対応する複数個のクリックばね５を配置するようしたので、クリック感触の良好な、複数のスイッチをシート状に一体化した複合スイッチが容易に得られるものとなっている。
【００４１】
上記した本発明のスイッチ装置によれば、ベース基板１の固定接点２が設けられた裏側の位置に、裏面の配線パターン３の上面を覆う絶縁樹脂フィルムからなる被覆部材４で被覆されない非被覆部４ａを設けて、クリックばね５が押圧されて膨出部が反転する際に、可動接点５ａが固定接点２と当接して、この可動接点５ａが被覆部材４の非被覆部４ａ内へ移動可能となるようにしたことから、固定接点２が設けられたベース基板１の裏側に、被覆部材４で覆われない領域を設けて、クリックばね５が反転する際の可動接点５ａが移動可能な段差部を形成したので、クリックばね５の反転ストローク量を大きくでき、反転時の良好なクリック感触が得られと共に、クリックばね５の形状が簡易となり製造が容易なスイッチ装置を提供できるものとなっている。
【図面の簡単な説明】
【００４２】
【図１】本発明のスイッチ装置を示す断面図である。
【図２】本発明のスイッチ装置を固定部材に固定させた状態を示す断面図である。
【図３】本発明のスイッチ装置を固定部材に固定させた状態で段差調整用印刷を施した状態を示す断面図である。
【図４】本発明のスイッチ装置のベース基板上に複数組の固定接点を配置した状態を示す平面図である。
【図５】本発明のスイッチ装置のベース基板上に複数組の固定接点を配置した状態を示す底面図である。
【図６】従来のスイッチ装置の可動接点と固定接点の関係を示す断面図である。
【図７】従来の可動接点の要部を示す説明図である。
【図８】従来のシート状のスイッチ装置を示す要部断面図である。
【符号の説明】
【００４３】
１：ベース基板
１ａ：スルーホール
２：固定接点
２ａ：中央接点
２ｂ：周辺接点
３：配線パターン
３ａ：接続パターン
３ｂ：接続パターン
３ｃ：中央導電層
３ｄ：周辺導電層
４：被覆部材
４ａ：非被覆部
５：クリックばね
５ａ：可動接点
５ｂ：周縁
６：カバーシート
７：固定部材
８：粘着剤
９：印刷層
【図１】
2007066840.tif 000003
【図２】
2007066840.tif 000004
【図３】
2007066840.tif 000005
【図４】
2007066840.tif 000006
【図５】
2007066840.tif 000007
【図６】
2007066840.tif 000008
【図７】
2007066840.tif 000009
【図８】
2007066840.tif 000010